(57)【要約】【課題】支柱に対してパネル体を簡単に取り付けできるとともに、荷重の大きなパネル体でも確実に支持することができるパネル装置を提供すること。【解決手段】支柱２ａにおけるパネル体３ａとの対向面に凹設された上下方向を向く凹溝１０と、前記凹溝１０内に取り付けられ、パネル体３ａの下端面を下方から受支する受支片６２及び該受支片６２から上方に延設された下部係止片６３から構成される下部連結具６０と、パネル体３ａの下端面に形成され、前記下部係止片６３が嵌挿される係止穴２７と、パネル体３ａの上部に取り付けられ、凹溝１０に係止可能な上部係止片３３を有する上部連結具６と、を備え、凹溝１０は、上部係止片３３を該凹溝１０内に挿通可能とする挿通口１０ａと、該挿通口１０ａから挿通された上部係止片３３をパネル体側に離脱不能に係止する被係止部１１と、を有する。【選択図】図６
2010106570.tif 000002
【特許請求の範囲】
【請求項１】
床面上に立設された左右一対の支柱間に、前記床面より所定の間隔を設けてパネル体の上下端部を支持してなるパネル装置であって、
前記支柱における前記パネル体との対向面に凹設された上下方向を向く凹溝と、
前記凹溝内に取り付けられ、前記パネル体の下端面を下方から受支する受支片及び該受支片から上方に延設された下部係止片から構成される下部連結具と、
前記パネル体の下端面に形成され、前記下部係止片が嵌挿される係止穴と、
前記パネル体の上部に取り付けられ、前記凹溝に係止可能な上部係止片を有する上部連結具と、
を備え、
前記凹溝は、前記上部係止片を該凹溝内に挿通可能とする挿通口と、該挿通口から挿通された上部係止片を前記パネル体側に離脱不能に係止する被係止部と、を有することを特徴とするパネル装置。
【請求項２】
前記下部連結具は、前記受支片における前記下部係止片とは反対側の端部から下向きに延設され、前記被係止部に係止可能な支柱側取付片を有し、
前記凹溝の下部には、前記支柱側取付片の下端に当接可能に配置され、該支柱側取付片の下方への移動を当接規制する当接規制面が設けられていることを特徴とする請求項１に記載のパネル装置。
【請求項３】
前記上部連結具は、前記上部係止片と、該上部係止片の上端から前記パネル体側に向けて延設され、該パネル体の上端面に取り付けられるパネル体側取付片と、を有することを特徴とする請求項１または２に記載のパネル装置。
【請求項４】
前記上部連結具は、前記上部係止片と、前記パネル体側取付片と、該パネル体側取付片の他端から斜め下方に向けて延設された傾斜片と、を有し、
前記パネル体の上端面には、前記傾斜片が上面に配置されるパネル体側傾斜面が形成されていることを特徴とする請求項３に記載のパネル装置。
【請求項５】
前記下部連結具と前記上部連結具との間に設けられ、前記支柱と前記パネル体とを連結する中間連結具を備え、
前記中間連結具は、前記支柱側に設けられ、上方に向けて前記パネル体側に傾斜する上向き傾斜面と、前記パネル体側に設けられ、下方に向けて前記支柱側に傾斜する下向き傾斜面と、を有し、
前記上部連結具及び前記下部連結具にて前記パネル体が前記支柱に連結された状態において、前記上向き傾斜面上に前記下向き傾斜面が載置されることを特徴とする請求項１ないし４のいずれかに記載のパネル装置。
【発明の詳細な説明】
【技術分野】
【０００１】
本発明は、床面上に立設された左右一対の支柱間に、前記床面より所定の間隔を設けてパネル体の上下端部を支持してなるパネル装置に関する。
【背景技術】
【０００２】
従来、この種のパネル装置としては、パネル体の側端面に取り付けられた平面視略Ｃ字形のクリップを支柱に嵌合することにより、左右一対の支柱間にパネル体を支持するようにしたもの等がある（例えば、特許文献１参照）。
【０００３】
【特許文献１】特開２０００−２７６０５７号公報（第２−３頁、第２図）
【発明の開示】
【発明が解決しようとする課題】
【０００４】
しかしながら、上記特許文献１に記載のパネル装置にあっては、クリップを支柱に嵌合するだけで取り付けが簡単に行えるものの、クリップによる支柱の保持力だけで、支柱に対してパネル体を支持する構造であるため、パネル体の荷重が大きいとクリップの保持力だけではパネル体を支持できないという問題があった。
【０００５】
本発明は、このような問題点に着目してなされたもので、支柱に対してパネル体を簡単に取り付けできるとともに、荷重の大きなパネル体でも確実に支持することができるパネル装置を提供することを目的とする。
【課題を解決するための手段】
【０００６】
前記課題を解決するために、本発明の請求項１に記載のパネル装置は、
床面上に立設された左右一対の支柱間に、前記床面より所定の間隔を設けてパネル体の上下端部を支持してなるパネル装置であって、
前記支柱における前記パネル体との対向面に凹設された上下方向を向く凹溝と、
前記凹溝内に取り付けられ、前記パネル体の下端面を下方から受支する受支片及び該受支片から上方に延設された下部係止片から構成される下部連結具と、
前記パネル体の下端面に形成され、前記下部係止片が嵌挿される係止穴と、
前記パネル体の上部に取り付けられ、前記凹溝に係止可能な上部係止片を有する上部連結具と、
を備え、
前記凹溝は、前記上部係止片を該凹溝内に挿通可能とする挿通口と、該挿通口から挿通された上部係止片を前記パネル体側に離脱不能に係止する被係止部と、を有することを特徴としている。
この特徴によれば、上部連結具の上部係止片を挿通口に挿通して凹溝内に差し込むとともに、パネル体の下端面に形成された係止穴に下部連結具の下部係止片を嵌挿することで、パネル体の荷重が受支片により下方から支持されるため、支柱に対してパネル体を上方から下方に向けて移動するだけで、荷重が大きいパネル体でも所定高さ位置に確実に支持できる。また、上向きの下部係止片が係止穴内に嵌挿されるとともに、凹溝内に挿入された上部係止片が被係止片により係止されることにより、パネル体の支柱からの離脱が確実に規制されるため、支柱に対してパネル体を上方から下方に向けて移動するだけの簡単な作業で、支柱間にパネル体を支持することができる。
【０００７】
本発明の請求項２に記載のパネル装置は、請求項１に記載のパネル装置であって、
前記下部連結具は、前記受支片における前記下部係止片とは反対側の端部から下向きに延設され、前記被係止部に係止可能な支柱側取付片を有し、
前記凹溝の下部には、前記支柱側取付片の下端に当接可能に配置され、該支柱側取付片の下方への移動を当接規制する当接規制面が設けられていることを特徴としている。
この特徴によれば、支柱側取付片を挿通口から凹溝内に挿通することで、下部連結具を支柱に簡単に取り付けできるばかりか、受支片にかかるパネル体の荷重を当接規制面にて受けることができるため、下部連結具をネジ等により凹溝に取り付ける場合に比べて、取り付け強度が向上する。
【０００８】
本発明の請求項３に記載のパネル装置は、請求項１または２に記載のパネル装置であって、
前記上部連結具は、前記上部係止片と、該上部係止片の上端から前記パネル体側に向けて延設され、該パネル体の上端面に取り付けられるパネル体側取付片と、を有することを特徴としている。
この特徴によれば、係止穴に下部係止片を嵌挿した後に、上部係止片を凹溝内に挿通してパネル体取付片をパネル体に取り付けることができるため、係止穴への下部係止片の嵌挿と凹溝内への上部係止片の挿通とを同時に行う場合に比べて、作業性が向上する。
【０００９】
本発明の請求項４に記載のパネル装置は、請求項３に記載のパネル装置であって、
前記上部連結具は、前記上部係止片と、前記パネル体側取付片と、該パネル体側取付片の他端から斜め下方に向けて延設された傾斜片と、を有し、
前記パネル体の上端面には、前記傾斜片が上面に配置されるパネル体側傾斜面が形成されていることを特徴としている。
この特徴によれば、パネル体側取付片をパネル体の上端面に取り付けることで、傾斜片によりパネル体側傾斜面が押圧されてパネル体が支柱側に寄せられるため、支柱とパネル体との間に隙間が生じにくくなる。
【００１０】
本発明の請求項５に記載のパネル装置は、請求項１ないし４のいずれかに記載のパネル装置であって、
前記下部連結具と前記上部連結具との間に設けられ、前記支柱と前記パネル体とを連結する中間連結具を備え、
前記中間連結具は、前記支柱側に設けられ、上方に向けて前記パネル体側に傾斜する上向き傾斜面と、前記パネル体側に設けられ、下方に向けて前記支柱側に傾斜する下向き傾斜面と、を有し、
前記上部連結具及び前記下部連結具にて前記パネル体が前記支柱に連結された状態において、前記上向き傾斜面上に前記下向き傾斜面が載置されることを特徴としている。
この特徴によれば、上向き傾斜片上を下向き傾斜面が滑ることにより、パネル体が支柱側に寄せられるため、支柱とパネル体との間に隙間が生じにくくなる。
【発明を実施するための最良の形態】
【００１１】
本発明に係るパネル装置を実施するための最良の形態を実施例に基づいて以下に説明する。
【実施例１】
【００１２】
本発明の実施例１を図面に基づいて説明すると、図１は、本発明の実施例１におけるパネル装置の全体像を示す正面図である。図２は、図１のＡ−Ａ断面図である。図３は、上部連結具を示す図であり、（ａ）はその正面図、（ｂ）はその右側面図である。図４は、中間連結具を示す図であり、（ａ）はその正面図、（ｂ）はその右側面図である。図５は、下部連結具を示す図であり、（ａ）はその正面図、（ｂ）はその右側面図である。図６は、支柱とパネル体との連結構造を示す一部破断正面図である。図７は、支柱にパネル体を取り付ける状態を示す概略図である。以下、図２の紙面下側をパネル装置の正面側として説明する。
【００１３】
図１には、本発明が適用されたパネル装置が示されている。本実施例のパネル装置１は、床面Ｆ上に立設された支柱２ａ〜２ｃ及びこれら支柱２ａ，２ｂ及び支柱２ｂ，２ｃ間に、床面Ｆより所定の間隔を設けて支持されたパネル体３ａ，３ｂと、から主に構成されている。尚、左右の支柱２ａ，２ｃは、床面Ｆ上に載置される平面視略円盤状のベース脚４上に立設されているとともに、中間に配置される支柱２ｂは、床面Ｆ上に下端が接地されるアジャスタ５を介して床面Ｆ上に立設されている。つまり本実施例のパネル装置１は、左右のベース脚４を介して自立して立設された支柱２ａ〜２ｃによりパネル体３ａ，３ｂが支持されてなる自立式パネル装置とされている。
【００１４】
支柱２ａ，２ｂ間に支持されるパネル体３ａ及び支柱２ｂ，２ｃ間に支持されるパネル体３ｂは、各支柱２ａ〜２ｃとパネル体３ａ，３ｂとの対向面間に設けられる金属製の上部連結具６，中間連結具７，下部連結具８によりそれぞれ連結されている。
【００１５】
尚、各支柱２ａ〜２ｃとパネル体３ａ，３ｂとの連結構造は全て同一であるため、以下においては、支柱２ａとパネル体３ａとの連結構造のみを説明し、支柱２ｂとパネル体３ａ、支柱２ｂとパネル体３ｂ、支柱２ｃとパネル体３ｂとの連結構造の詳細な説明は省略することとする。
【００１６】
支柱２ａは、図２及び図６に示されるように、アルミニウム等の金属材を押し出し成型することにより四角柱状に形成されており、その各側面（正面、左側面、右側面、背面）には、外方に開口する所定深さを有する直線状の凹溝１０が、支柱２ａの上端から下端にかけて連続的に形成されている。各凹溝１０における開口の両外側縁からは、互いに内向きに延設される被係止部としての係止縁１１，１１が、凹溝１０の長手方向にわたり形成されている。つまりこの凹溝１０は、横断面略コ字形に形成される溝に係止縁１１，１１が形成された、所謂アリ溝構造とされている。
【００１７】
各凹溝１０含む支柱２ａ〜２ｃの上端及び下端はそれぞれ開口しており、凹溝１０の上端開口１０ａ及び下端開口１０ｂを含む上下端開口は、支柱２ａの上下端部に着脱自在に装着されるエンドキャップ１６，１６により閉塞されている。
【００１８】
また、凹溝１０の底壁１２には、後述する上部連結具６，中間連結具７，下部連結具８を取り付けるためのネジ孔１３ａ〜１３ｃ（図６参照）が、上下方向の所定高さ位置にそれぞれ形成されている。尚、ここでは支柱２ａの右側面がパネル体３ａの側端面と対向する対向面とされている。さらに、これら各底壁１２により囲まれた中央空間内には、横断面Ｃ字形の貫通路１４が上下方向にわたり延設されており、その貫通路１４の下端には、ベース脚に対して支柱２ａを連結固定するためのロングボルト１５が螺合されている。
【００１９】
パネル体３ａは、図２及び図６に示されるように、正面視縦長長方形状に形成された前後に配置されるパネル１７０，１７０と、パネル１７０，１７０の左右側端部に沿って設けられる金属製の縦フレーム１７，１７と、パネル１７０，１７０の上下端部に沿ってそれぞれ設けられる金属製の横フレーム１８，１９と、から主に構成される。
【００２０】
左右の縦フレーム１７，１７は、図２及び図６に示されるように、アルミニウム等の金属材を押し出し成型することにより四角柱状に形成されており、その外側面（左側面）には、外方に開口する所定深さを有する直線状の凹溝２０が、縦フレーム１７の上端から下端にかけて連続的に形成されている。各凹溝２０における開口の両外側縁からは、互いに内向きに延設される係止縁２１，２１が、凹溝２０の長手方向にわたり形成されている。つまりこの凹溝２０は、横断面略コ字形に形成される溝に係止縁２１，２１が形成された、所謂アリ溝構造とされている。
【００２１】
縦フレーム１７の底壁２２の内側には、横断面Ｃ字形の貫通路２４が上下方向にわたり延設されており、その貫通路２４の下端には、後述する下部連結具８の係止片６３が嵌挿されるようになっている。
【００２２】
凹溝２０及び貫通路２４を含む縦フレーム１７の上端及び下端はそれぞれ開口しており、凹溝２０及び貫通路２４の上端開口は、縦フレーム１７の上方に配置される横フレーム１８及び該横フレーム１８の側端開口を閉塞可能に装着されるエンドキャップ２５により閉塞されている。また、凹溝２０及び貫通路２４の下端開口は、横フレーム１９の側端開口を閉塞可能に該横フレーム１９に装着されるエンドキャップ２６により閉塞されている。尚、このエンドキャップ２６における貫通路２４に対応する箇所には、円形の係止穴２７が形成されており、該係止穴２７を介して貫通路２４の内部が外部と連通されている。
【００２３】
次に、各連結具について、図３〜図５に基づいて説明する。まず、図３には、上部連結具６としての係止金具３０が示されている。係止金具３０は、帯板状の金属板を屈曲することにより形成されている。具体的には、上下方向を向くとともに、パネル体３ａの底壁２２に取り付けられる取付片３１と、取付片３１の上端から外方に向けて延設される水平片３２と、水平片３２の先端から上方に向けて延設される上部係止片としての係止片３３と、取付片３１の下端から外側斜め下方に向けて延設される傾斜片３４と、から構成されている。
【００２４】
これら水平片３２、取付片３１、傾斜片３４及び係止片３３の基部の幅寸法Ｌ１は、凹溝１０，２０の開口の幅寸法Ｌ３（図２参照）よりも幅狭で（Ｌ１＜Ｌ３）、係止片３３の幅寸法Ｌ２は、開口の幅寸法Ｌ３（図２参照）よりも幅広で、かつ、凹溝１０，２０の幅寸法Ｌ４よりも若干幅狭である（Ｌ１＜Ｌ３＜Ｌ２＜Ｌ４）。また、取付片３１には、底壁２２に取り付けるための取付ボルト３６（図６参照）の取付穴３５が形成されている。
【００２５】
このように構成された係止金具３０は、図６に示されるように、凹溝２０の底壁２２の上部に形成されたネジ孔３８ａに取付ボルト３６を螺入することで、凹溝２０内に取付片３１が収容された状態で取り付けられる。尚、取り付けた状態において、係止片３３及び傾斜片３４の下半部が凹溝２０の係止縁２１，２１間に形成される開口から外方に突出される。
【００２６】
図４には、上部連結具６の一部を構成する係止金具４０が示されている。係止金具４０は、帯板状の金属板を屈曲することにより正面視くの字形に形成されている。具体的には、上下方向を向くとともに、支柱２ａの底壁１２に取り付けられる取付片４１と、取付片４１の下端から外側斜め下方に向けて延設される傾斜片４２と、から構成されている。
【００２７】
これら取付片４１及び傾斜片４２の幅寸法Ｌ１は、全て凹溝１０，２０の開口の幅Ｌ３（図２参照）よりも幅狭である（Ｌ１＜Ｌ３）。また、取付片４１には、底壁１２に取り付けるための取付ボルト４４（図６参照）の取付穴４３が形成されている。尚、取付片４１に対する傾斜片４２の傾斜角度Θは、係止金具３０の取付片３１に対する傾斜片３４の傾斜角度Θとほぼ同一とされている。
【００２８】
このように構成された係止金具４０は、図６に示されるように、凹溝１０の底壁１２の上部に形成されたネジ孔１３ａに取付ボルト４４を螺入することで、凹溝１０内に取付片４１が収容された状態で取り付けられる。尚、取り付けた状態において、傾斜片４２の上半部が凹溝１０の係止縁１１，１１間に形成される開口から外方に突出される。
【００２９】
また、パネル体３ａが支柱２ａに支持された状態において、その傾斜片４２の上向き傾斜面４２ｂ上に係止金具３０の傾斜片３４の下向き傾斜面３４ａが当接されるように、係止金具３０よりもやや下方位置に取り付けられる。
【００３０】
このように構成される係止金具４０は、後述するように中間連結具７を構成する係止金具５０，５１としても使用されるが、形状は係止金具４０と同一であるため、詳細な説明は省略することとする。
【００３１】
尚、係止金具５０は、図６に示されるように、凹溝２０の底壁２２の上下方向の中間部に形成されたネジ孔３８ｂに取付ボルト５２を螺入し、かつ、傾斜片４２を下方に向けた状態で取り付けることで、凹溝２０内に取付片３１が収容された状態で取り付けられる。尚、取り付けた状態において、傾斜片４２の下半部が凹溝２０の係止縁２１，２１間に形成される開口から外方に突出される。
【００３２】
他方の係止金具５１は、図６に示されるように、凹溝１０の底壁１２の上下方向の中間部に形成されたネジ孔１３ｂに取付ボルト５３を螺入し、かつ、傾斜片４２を上方に向けた状態で取り付けることで、凹溝１０内に取付片３１が収容された状態で取り付けられる。尚、取り付けた状態において、傾斜片４２の上半部が凹溝１０の係止縁１１，１１間に形成される開口から外方に突出される。
【００３３】
また、パネル体３ａが支柱２ａに支持された状態において、係止金具５１の傾斜片４２の上向き傾斜面４２ｂ上に、係止金具５０の傾斜片３４の下向き傾斜面４２ａが当接されるように、係止金具５０よりもやや下方位置に取り付けられる。
【００３４】
図５には、下部連結具８を構成する係止金具６０が示されている。係止金具６０は、帯板状の金属板を屈曲することにより正面視略Ｊ字形に形成されている。具体的には、上下方向を向くとともに、支柱２ａの底壁１２に取り付けられる取付片６１と、取付片６１の下端から外側に向けて水平に延設され、パネル体３ａの下端面となるエンドキャップ２６の下面２６ａを下方から受支する受支片６２と、該受支片６２の先端から上方に延設された下部係止片としての係止片６３と、から構成されている。
【００３５】
これら取付片６１、受支片６２、係止片６３の幅寸法Ｌ１は、全て凹溝１０，２０の開口幅Ｌ３と、エンドキャップ２６に形成された係止穴２７及び貫通路３４の直径（図２参照）よりも幅狭である（Ｌ１＜Ｌ３）。また、取付片６１には、底壁１２に取り付けるための取付ボルト６５ａ，６５ｂ（図６参照）の取付穴６４ａ，６４ｂが上下に形成されている。尚、受支片６２に対する係止片６３の屈曲角度（内角）は約９０度以上とされ、先端に向けて僅かに外向きに傾斜している。
【００３６】
このように構成された係止金具６０は、図６に示されるように、凹溝１０の底壁１２の下部に形成された２つのネジ孔１３ｃ，１３ｃに取付ボルト６５ａ，６５ｂを螺入することで、凹溝１０内に取付片６１が収容された状態で取り付けられる。尚、取り付けた状態において、受支片６２及び係止片６３が凹溝１０の係止縁１１，１１間に形成される開口から外方に突出される。
【００３７】
次に、パネル３ａの支柱２ａへの取付状況及び作用を、図６及び図７に基づいて説明する。
【００３８】
前述したように、各係止金具３０，５１，６０を凹溝１０内にそれぞれ取り付けるとともに、各係止金具３０，５０を凹溝２０内にそれぞれ取り付ける。そして、図７に示されるように、支柱２ａの上端開口に装着されたエンドキャップ１６を取り外して凹溝１０の上端開口１０ａを開放するとともに、支柱２ａに対してパネル体３ａを上方にずらして配置する。尚、最初の支柱２ａに対するパネル体３ａの取付作業は、支柱２ａ及びパネル体３ａを床面Ｆ上に倒伏させた状態で作業を行うことが好ましい。
【００３９】
そして、支柱２ａの右側面とパネル体３ａの左側端面、つまり係止縁１１，１１の外面１１ａと係止縁２１，２１の外面２１ａとを付き合わせる。この状態で、支柱２ａ側に取り付けられた係止金具４０，５１の傾斜片４２の先端部がパネル体３ａの凹溝２０内に入り込むとともに、パネル体３ａ側に取り付けられた係止金具３０，５０の傾斜片３４，４２が支柱２ａの凹溝１０内に入り込む。また、係止金具３０の係止片３３は上端開口１０ａよりも上方に位置し、係止金具６０の係止片６３は係止穴２７の下方に位置している。
【００４０】
このように係止縁１１，１１の外面１１ａと係止縁２１，２１の外面２１ａとを付き合わせた状態で、支柱２ａに対してパネル体３ａを下方に向けてスライドさせることで、係止金具３０の係止片３３が上端開口１０ａから凹溝１０内に入り込むとともに、係止金具６０の係止片６３が係止穴２７内に嵌挿される。そして、パネル体３ａのエンドキャップ２６の下面、つまりパネル体３ａの下端面が係止金具６０の受支片６２の上面に当接することにより下方への移動が規制されることで、上部連結具６，中間連結具７，下部連結具８により、パネル体３ａの上部位置、中央位置、下部位置がそれぞれ支柱２ａに連結されて、パネル体３ａが床面Ｆ上から所定高さ位置に保持される。
【００４１】
具体的には、パネル体３ａの下端面が係止金具６０の受支片６２の上面に当接することにより、パネル体３ａの下端面が受支片６２により下方から支持されるとともに、係止穴２７及び貫通路２４内に係止片６３が嵌挿されることで、パネル体３ａの支柱２ａに対する離脱方向（支柱２ａの長手方向に対して直交する方向）への移動が規制される。
【００４２】
また、係止金具５０の傾斜片４２の下向き傾斜面４２ａが、係止金具５１の上向き傾斜面４２ｂ上に当接するとともに、係止金具３０の傾斜片３４の下向き傾斜面３４ａが、係止金具４０の上向き傾斜面４２ｂ上に当接する。これら下向き傾斜面３４ａ，４２ａは、上向き傾斜面４２ｂ上を下方に向けてスライドすることで支柱２ａに向けて誘導されることにより、パネル体３ａの上部及び中間部にて支柱２ａに対する離脱方向への移動が規制されるだけでなく、支柱２ａとパネル体３ａとの対向面（係止縁１１，１１の外面１１ａと係止縁２１，２１の外面２１ａ）同士が密接され、両者間に隙間が生じにくくなるため、見栄えが向上するだけでなく、凹溝１０の開口前後で平坦面状の外面１１ａ，２１ａ同士が密接することによりガタツキが生じにくくなる。さらに、凹溝１０内に上方から差し込まれた係止金具３０の係止片３３が係止縁１１，１１に係止されることで、パネル体３ａの支柱２ａに対する離脱方向への移動が規制される。
【００４３】
このように、係止金具３０の係止片３３を、挿通口としての上端開口１０ａに挿通して凹溝１０内に差し込むとともに、パネル体３ａの下端面に形成された係止穴２７に係止金具６０の係止片６３を嵌挿することで、パネル体３ａの荷重が受支片６２により下方から支持されるため、支柱２ａに対してパネル体３ａを上方から下方に向けて相対移動するだけで、荷重が大きいパネル体３ａでも所定高さ位置に確実に支持できる。
【００４４】
また、上向きの係止片６３が係止穴２７内に嵌挿されるとともに、凹溝１０内に挿入された係止片３３が被係止片としての係止縁１１，１１により係止されることにより、パネル体３ａの上下部において支柱２ａからの離脱が確実に規制されるため、支柱２ａに対してパネル体３ａを上方から下方に向けて相対移動するだけの簡単な作業で、支柱２ａに対してパネル体３ａを連結することができる。
【００４５】
また、これら各連結具６，７，８は、それぞれ凹溝１０，２０内に取り付けられ、支柱２ａ側の係止金具とパネル体３ａとの係止金具との係止が、互いに突き合わされた凹溝１０，２０の内部空間で行われることにより、支柱２ａに対してパネル体３ａが連結された状態において、これら連結具６，７，８が凹溝１０，２０内に収容されて外部から見えなくなるため、外観体裁が向上する。
【実施例２】
【００４６】
次に、本発明の実施例２としてのパネル装置１００について、図８〜図１２に基づいて説明する。図８は、実施例２としてのパネル装置における支柱とパネル体との連結構造を示すである。図９は、上部連結具を示す斜視図である。図１０は、（ａ）は中間連結具を示す斜視図であり、（ｂ）はスペーサを示す斜視図である。図１１は、下部連結具を示す斜視図である。図１２は、上部連結具の取付状況を示すパネル装置の要部を示す一部破断正面図である。尚、前記実施例１と同様に構成される部位は、同じ符号を付すことにより、詳細な説明は省略することとする。
【００４７】
本実施例２としてのパネル装置１００にあっては、主に上部連結具１０６，中間連結具１０７，下部連結具１０８が、実施例１の上部連結具６，中間連結具７，下部連結具８と異なっており、これらを凹溝１０に対して取付ボルトを用いずに上下方向の所定高さ位置に取り付けることができるようになっている。
【００４８】
図９には、上部連結具１０６を構成する係止金具１３０が示されている。係止金具１３０は、帯板状の金属板を屈曲することにより形成されている。具体的には、凹溝１０に係止可能な上下方向を向く上部係止片としての係止片１３３と、該係止片１３３の上端からパネル体３ａ側に向けて水平に延設され、該パネル体３ａの上端面であるエンドキャップ１２５に取り付けられるパネル体側取付片としての水平な取付片１３４と、該取付片１３４の他端から斜め下方に向けて延設された傾斜片１３５と、により、下向き略コ字形に形成されている。
【００４９】
係止片１３３の幅寸法はＬ２、取付片１３４，傾斜片１３５の幅寸法はＬ１とされている（Ｌ１＜Ｌ３＜Ｌ２＜Ｌ４）。また、取付片１３４には、後述するエンドキャップに１２５に取り付けるための取付ボルト１３６の取付穴１３７が形成されている。
【００５０】
エンドキャップ１２５は、図１２に示されるように、上部の横フレーム１８に形成された上向きに開口する凹溝１８ａ内に配置される取付部１２５ｂを有している。取付部１２５ｂにおける右側端部には、係止金具１６０の傾斜片１３５と平行をなすパネル体側傾斜面としての傾斜面１２５ａが形成されており、この傾斜面１２５ａ上に傾斜片１３５の下向き傾斜面１３５ａが当接するようになっている。また、上面には、係止金具１６０の取付ボルト１３６が螺入される上下方向を向くネジ孔１２５ｃが形成されており、該上面に取付片１３４が取り付けられるようになっている。
【００５１】
図１０（ａ）には、中間連結具１０７の一部を構成する係止金具１５１が示されている。係止金具１５１は、帯板状の金属板を屈曲することにより正面視くの字形に形成されている。具体的には、上下方向を向くとともに、支柱２ａの凹溝１０内に係止される係止片１４２と、係止片１４２の上端から外側斜め上方に向けて延設される傾斜片１４３と、から構成されている。
【００５２】
係止片１４２の幅寸法はＬ２、傾斜片１４３の幅寸法はＬ１とされている。尚、係止金具１５０は、実施例１の係止金具５０と同様に構成されているため、ここでの詳細な説明は省略する。また、係止片１４２に対する傾斜片１４３の傾斜角度Θは、係止金具１５０の取付片４１に対する傾斜片４２の傾斜角度Θとほぼ同一とされている。
【００５３】
図１０（ｂ）には、係止金具１５１を凹溝１０内の所定高さ位置に支持するためのスペーサ１５２が示されている。スペーサ１５２は、幅寸法Ｌ２を有する帯板状の金属板により所定長さに形成されている。この上端は、上記係止金具１５１の下端に当接して受支するとともに、下端には外方に向けて屈曲する短寸の折返し部１５３が形成され、該折返し部１５３により、係止金具１６０の取付片１６１の上端に当接して載置されるようになっている。
【００５４】
図１１には、下部連結具１０８を構成する係止金具１６０が示されている。係止金具１６０は、帯板状の金属板を屈曲することにより形成されている。具体的には、上下方向を向くとともに、支柱２ａの凹溝１０内において係止縁１１，１１に係止可能な幅寸法Ｌ２を有する支柱側取付片としての取付片１６１と、取付片１６１の上端から外側に向けて水平に延設され、パネル体３ａの下端面となるエンドキャップ２６の下面２６ａを下方から受支する受支片１６２と、該受支片１６２の先端から上方に延設された下部係止片としての係止片１６３と、から構成されている。
【００５５】
取付片１６１の幅寸法はＬ２、受支片１６２，係止片１６３の幅寸法はＬ１とされている。尚、受支片１６２に対する係止片１６３の屈曲角度（内角）は約９０度以上とされ、先端に向けて僅かに外向きに傾斜している。
【００５６】
次に、パネル３ａの支柱２ａへの取付状況及び作用を、主に図８に基づいて説明する。
【００５７】
本実施例２においては、まず係止金具１５０を凹溝２０内に取り付けておく。そして、支柱２ａの上端開口に装着されたエンドキャップ１６を取り外して凹溝１０の上端開口１０ａを開放し、該上端開口１０ａから、まず下部に配置される係止金具１６０の取付片１６１を差し込み、凹溝１０の下部まで落とし込む。取付片１６１の下端が、該凹溝１０の下端開口１０ｂを閉塞する当接規制面としてのエンドキャップ１６の上面１６ａに当接することで、受支片１６２及び係止片１６３が、床面Ｆから所定高さ位置に支持される。
【００５８】
次いで、スペーサ１５２を、折返し部１５３を下方に向けた状態で上端開口１０ａに差し込んで凹溝１０内に落とし込むと、折返し部１５３が取付片１６１の上端に当接して係止金具１６０の上部に支持される。さらに係止金具１５１を、傾斜片１４３を上方に向けた状態で上端開口１０ａに係止片１４２を差し込んで凹溝１０内に落とし込むと、係止片１４２の下端がスペーサ１５２の上端に当接してスペーサ１５２の上部に支持される。
【００５９】
そして、係止金具１３０を取り付けずに、支柱２ａに対してパネル体３ａを上方にずらして配置した状態で、支柱２ａの右側面とパネル体３ａの左側端面、つまり係止縁１１，１１の外面１１ａと係止縁２１，２１の外面２１ａとを付き合わせる。この状態で、支柱２ａ側に取り付けられた係止金具１５１の傾斜片１４３の先端部がパネル体３ａの凹溝２０内に入り込むとともに、パネル体３ａ側に取り付けられた係止金具１５０の傾斜片４２が、係止金具１５１の上方位置において支柱２ａの凹溝１０内に入り込む。
【００６０】
このように係止縁１１，１１の外面１１ａと係止縁２１，２１の外面２１ａとを付き合わせた状態で、支柱２ａに対してパネル体３ａを下方に向けてスライドさせることで、係止金具１６０の係止片１６３が係止穴２７内に嵌挿される。そして、実施例１と同様に、パネル体３ａのエンドキャップ２６の下面、つまりパネル体３ａの下端面が係止金具１６０の受支片１６２の上面に当接することで移動が規制され、パネル体３ａが床面Ｆ上から所定高さ位置に保持される。
【００６１】
また、係止金具１５０の傾斜片４２の下向き傾斜面４２ａが、係止金具１５１の上向き傾斜面１４３ａ上に当接し、下向き傾斜面４２ａが上向き傾斜面１４３ａにより支柱２ａに向けて誘導されることにより、パネル体３ａの支柱２ａに対する離脱方向への移動が規制されるとともに、支柱２ａとパネル体３ａの対向面（係止縁１１，１１の外面１１ａと係止縁２１，２１の外面２１ａ）同士が密接され、両者間に隙間が生じにくくなるため、見栄えが向上するだけでなく、ガタツキがなくなる。
【００６２】
次いで、係止金具１３０の係止片１３３を上端開口１０ａに差し込むと、傾斜片１３５の下向き傾斜面１３５ａがエンドキャップ１２５の傾斜面１２５ａ上に当接し、これにより係止金具１３０の落下が規制される。この状態で、取付穴１３７に上方から取り付けた取付ボルト１３６をネジ孔１２５ｃに螺入して締め込むと、下向き傾斜面１３５ａが傾斜面１２５ａを下方に向けて押圧することにより、パネル体３ａが支柱２ａ側に強制的に寄せられるため、支柱２ａとパネル体３ａとの対向面上部が互いに密接され、両者間に隙間が生じにくくなるため、見栄えが向上するだけでなく、ガタツキがなくなる。締め付けが終わったら、エンドキャップ１６を支柱２ａの上端開口に装着して作業が終了する。
【００６３】
以上説明したように、このように構成された実施例２としてのパネル装置１００にあっても、前記実施例１と同様の作用・効果を奏するだけでなく、各係止金具を凹溝１０内に取付ボルト等の取付部材を用いることなく取り付けることができる。
【００６４】
また、特にパネル体３ａの荷重を支持する下部連結具１０８としての係止金具１６０では、取付ボルトやネジ孔等に大きな負荷がかかり破損したりすることなく、パネル体３ａの荷重がエンドキャップ１６の上面１６ａにかかることで、係止金具１６０全体が上向きの上面１６ａにより下方から安定的に受支されるため、係止金具１６０を取付ボルト等により凹溝１０の垂直な底壁１２に取り付ける場合に比べて、取り付け強度が向上する。
【００６５】
また、係止穴２７に係止片１６３を嵌挿した後に、係止片１３３を凹溝１０内に挿通して取付片１３４をパネル体３ａのエンドキャップ１２５に取り付けることができるため、係止穴２７への係止片１６３の嵌挿と凹溝１０内への係止片１３３の挿通とを同時に行う場合に比べて、作業性が向上するとともに、係止金具１３０による連結、詳しくは取付ボルト１３６による締め付け作業をパネル体３ａの上方から行うことができることで、確実に、かつ、強い力で支柱２ａとパネル体３ａとの対向面上部を互いに強く密接させて連結することができる。
【００６６】
以上、本発明の実施例を図面により説明してきたが、具体的な構成はこれら実施例に限られるものではなく、本発明の要旨を逸脱しない範囲における変更や追加があっても本発明に含まれる。
【００６７】
例えば、前記実施例では、上部係止片としての係止片３３を凹溝１０内に挿通可能とする挿通口が、支柱２ａの上端開口１０ａとされていたが、例えば凹溝１０の上部における係止縁１１，１１の一部を切り欠いて、凹溝１０の側方に幅広の開口を形成し、これを挿通口としてもよく、この場合、係止片３３を凹溝１０の側方から該挿通口を介して凹溝１０内に挿通することが可能となる。
【００６８】
また、前記実施例では、凹溝１０，２０は、横断面略コ字形に形成される凹状の溝における開口の両外側縁から係止縁が互いに内向きに延設された断面略Ｃ字形をなすものであったが、凹溝の構造は上記形状に限定されるものではなく、各連結具の係止部を支柱２ａの長手方向に摺動可能とし、かつ、支柱２ａの長手方向に対して直交する離脱方向への移動を規制する被係止部を有するものであれば、所謂アリ溝状であってもよい。
【００６９】
また、前記実施例２では、支柱側取付片としての取付片１６１の下端に当接して下部連結具１０８の下方への移動を当接規制する当接規制面の一例として、支柱２ａの下端に装着されるエンドキャップ１６の上面１６ａが適用されていたが、このような当接規制面は、例えば凹溝１０内下端部に一体成型されていてもよいし、あるいは、その下方のベース脚４の上面等にて構成されていてもよい。
【００７０】
また、パネル体３ａ，３ｂの床面Ｆからの距離を変更する場合等において、例えば係止金具１６０の取付片１６１の上下幅寸法を短寸とし、その下方位置に、スペーサ１５２と同様な高さ調節用のスペーサ（図示略）を配置することも可能であり、この場合、下端がエンドキャップ１６の上面１６ａに当接して取付片１６１の下方位置に配置される前記スペーサの上面が、支柱側取付片としての取付片１６１の下端に当接して下部連結具１０８の下方への移動を当接規制する当接規制面を構成する。
【００７１】
また、前記実施例２では、上部連結具としての係止金具１３０の傾斜片１３５が上面に載置されるパネル体側傾斜面を構成する傾斜面１２５ａが、上部の横フレーム１８に形成された上向きに開口する凹溝１８ａ内に装着されたエンドキャップ１２５に形成された傾斜面１２５ａにて構成されていたが、このようなパネル体側傾斜面は、上記のようにエンドキャップ１２５に形成されたものに限定されるものではなく、例えば横フレーム１８の凹溝１８ａ内に直接形成されたものでもよいし、あるいは、パネル体の上端面に傾斜片１３５が挿通可能な係止穴や係止凹部（図示略）を形成し、該係止穴や係止凹部の内面の一部を傾斜させることにより形成されたものであってもよい。
【００７２】
また、前記実施例１，２のパネル装置１，１００は、３本の支柱２ａ，２ｂ、２ｂ，２ｃ間に２枚のパネル体３ａ，３ｂがそれぞれ支持されるものであったが、２本の支柱間に１枚のパネル体３ａが支持されるものや、４本以上の各支柱間に３枚以上のパネル体がそれぞれ支持されるものであってもよい。
【００７３】
また、支柱２ａ〜２ｃに対するパネル体３ａの支持高さ位置は任意に変更可能であり、各連結具の取付位置は種々に変更可能である。
【図面の簡単な説明】
【００７４】
【図１】本発明の実施例１におけるパネル装置の全体像を示す正面図である。
【図２】図１のＡ−Ａ断面図である。
【図３】上部連結具を示す図であり、（ａ）はその正面図、（ｂ）はその右側面図である。
【図４】中間連結具を示す図であり、（ａ）はその正面図、（ｂ）はその右側面図である。
【図５】下部連結具を示す図であり、（ａ）はその正面図、（ｂ）はその右側面図である。
【図６】支柱とパネル体との連結構造を示す一部破断正面図である。
【図７】支柱にパネル体を取り付ける状態を示す概略図である。
【図８】実施例２としてのパネル装置における支柱とパネル体との連結構造を示すである。
【図９】上部連結具を示す斜視図である。
【図１０】（ａ）は中間連結具を示す斜視図であり、（ｂ）はスペーサを示す斜視図である。
【図１１】下部連結具を示す斜視図である。
【図１２】上部連結具の取付状況を示すパネル装置の要部を示す一部破断正面図である。
【符号の説明】
【００７５】
１，１００            パネル装置
２ａ〜２ｃ            支柱
３ａ，３ｂ            パネル体
６，１０６            上部連結具
７，１０７            中間連結具
８，１０８            下部連結具
１０，２０            凹溝
１０ａ                上端開口（挿通口）
１１，２１            係止縁（被係止部）
１６，２５，２６，１２５  エンドキャップ
１６ａ                上面（当接規制面）
２７                  係止穴
３０，４０，５０，５１，６０  係止金具
３３，１３３          係止片（上部係止片）
３４ａ，４２ａ        下向き傾斜面
４２ｂ                上向き傾斜面
６２，１６２          受支片
６３，１６３          係止片（下部係止片）
１２５ａ              傾斜面（パネル体側傾斜面）
１３０，１５０，１５１，１６０  係止金具
１３４                取付片（パネル体側取付片）
１３５                傾斜片
１６１                係止片（支柱側取付片）
【図１】
2010106570.tif 000003
【図２】
2010106570.tif 000004
【図３】
2010106570.tif 000005
【図４】
2010106570.tif 000006
【図５】
2010106570.tif 000007
【図６】
2010106570.tif 000008
【図７】
2010106570.tif 000009
【図８】
2010106570.tif 000010
【図９】
2010106570.tif 000011
【図１０】
2010106570.tif 000012
【図１１】
2010106570.tif 000013
【図１２】
2010106570.tif 000014